(57)【要約】    【課題】  光ファイバの表面を異なる複数の色で的確に着色することができる光ファイバ着色装置及び光ファイバの着色方法を提供する。    【解決手段】  光ファイバ心線１１０を貫通して保持するためのニップル１２とダイス１１を有する着色剤被覆器１００を備える。この着色剤被覆器は、ニップル１２とダイス１１の形状に対応して形成された中空に露出した光ファイバ心線１１０の表面に対して、同じの粘度で異なる色の複数の着色剤をコーティングする。異なる色の複数の着色剤は、着色剤供給機構１０１から複数の着色剤導入口１３ａ，１３ｂを介して同時に供給される。複数の着色剤導入口は、光ファイバ心線１１０を中心として円周方向に等間隔で配設されている。【選択図】        図２
2005300835.tif 000002
【特許請求の範囲】
【請求項１】
光ファイバを貫通して保持するための貫通保持手段を有するハウジングで構成され、前記貫通保持手段の形状に対応して前記ハウジング内に形成された中空に露出した前記光ファイバの表面に対して、一定の粘度で異なる色の複数の着色剤をコーティングする光ファイバ着色部と、
前記各着色剤をそれぞれ所定の圧力で独立して前記ハウジング内の中空へ同時に供給する着色剤供給部とを備えたことを特徴とする光ファイバ着色装置。
【請求項２】
前記着色剤供給部から同時に供給される前記異なる色の各着色剤をそれぞれ前記ハウジング内の前記中空へ導入するための複数の着色剤導入口を前記ハウジングに形成したことを特徴とする請求項１に記載の光ファイバ着色装置。
【請求項３】
前記複数の着色剤導入口は、前記光ファイバを中心として円周方向に等間隔で配設したことを特徴とする請求項２に記載の光ファイバ着色装置。
【請求項４】
前記着色剤供給部は、前記ハウジング内の中空へ同時に供給する前記各着色剤のそれぞれの供給圧力を独立的に調整する供給圧力調整手段を有し、
前記供給圧力調整手段の調整結果に応じて、前記光ファイバに対する前記各着色剤のコーティング範囲を可変にしたことを特徴とする請求項１乃至３のいずれかに記載の光ファイバ着色装置。
【請求項５】
前記光ファイバの外径は、５００μｍから９００μｍの範囲内としたことを特徴とする請求項１乃至４のいずれかに記載の光ファイバ着色装置。
【請求項６】
請求項１乃至５に記載の光ファイバ着色装置を用いて、走行する光ファイバの表面に対して、異なる色の複数の着色剤を連続的にコーティングする光ファイバの着色方法であって、
前記貫通保持手段を有するハウジング内の中空へ供給する前記各着色剤のそれぞれの供給圧力を独立的に調整しておき、
前記ハウジング内への前記各着色剤の供給を同時に開始した後、
前記光ファイバが前記貫通保持手段を通過して一定の方向で走行するように操作することを特徴とする光ファイバの着色方法。
【発明の詳細な説明】
【技術分野】
【０００１】
本発明は、光ファイバを着色する光ファイバ着色装置及びその着色方法に関する。
【背景技術】
【０００２】
従来、光ファイバの着色装置としては、例えば図１３に示すようなものがあった（特許文献１）。
【０００３】
同図に示すように、この着色装置は、ニップル２１４と被覆ダイス２１５を有する樹脂被覆部２００と、樹脂被覆部２００内に複数色の着色樹脂を選択的に供給するための着色樹脂供給部３００とを備え、ニップル２１４と被覆ダイス２１５には、それぞれニップル孔２１４ａとダイス孔２１５ａが形成されている。
【０００４】
さらに、着色樹脂供給部３００から選択的に供給された着色樹脂を被覆ダイス２１５のダイス孔２１５ａ内に供給するために、各着色樹脂に対応した複数の樹脂供給口１７１〜１７４と、各樹脂供給口１７１〜１７４が合流してダイス孔２１５ａに連通する合流通路２１８と、該合流通路２１８に連通したドレイン排液口２１９とが設けられている。
【０００５】
そして、光ファイバは、ニップル孔２１４ａと被覆ダイス孔２１５ａを通って下向きに走行させ、その過程でダイス孔２１５ａ内の着色樹脂を連続的に光ファイバ表面に被覆するようになっている。
【特許文献１】特開平１１−１００２３６号公報
【発明の開示】
【発明が解決しようとする課題】
【０００６】
しかしながら、上記従来の光ファイバの着色装置では、光ファイバ表面に対して単色の着色しか行うことができず、光ファイバの識別性という観点から限界があった。例えば、光ファイバを種類別や用途別など種々のグループ分けする場合でも、単色であるため、グループ分け数が少なく詳細にグループ分けすることができなかった。
【０００７】
本発明は上記従来の問題点に鑑み、光ファイバの表面を異なる複数の色で簡易且つ的確に着色することができる光ファイバ着色装置及び光ファイバの着色方法を提供することを目的とする。
【課題を解決するための手段】
【０００８】
上記目的を達成するために、本発明の光ファイバ着色装置は、光ファイバを貫通して保持するための貫通保持手段を有するハウジングで構成され、前記貫通保持手段の形状に対応して前記ハウジング内に形成された中空に露出した前記光ファイバの表面に対して、一定の粘度で異なる色の複数の着色剤をコーティングする光ファイバ着色部と、前記各着色剤をそれぞれ所定の圧力で独立して前記ハウジング内の中空へ同時に供給する着色剤供給部とを備えたことを特徴とする。
【０００９】
好ましくは、前記着色剤供給部から同時に供給される前記異なる色の各着色剤をそれぞれ前記ハウジング内の前記中空へ導入するための複数の着色剤導入口を前記ハウジングに形成し、前記複数の着色剤導入口は、前記光ファイバを中心として円周方向に等間隔で配設する。また、前記着色剤供給部は、前記ハウジング内の中空へ同時に供給する前記各着色剤のそれぞれの供給圧力を独立的に調整する供給圧力調整手段を有し、前記供給圧力調整手段の調整結果に応じて、前記光ファイバの円周方向に対する前記各着色剤のコーティング範囲を可変にする。前記光ファイバの外径は、５００μｍから９００μｍの範囲内とする。
【００１０】
本発明の光ファイバの着色方法は、前記光ファイバ着色装置を用いて、走行する光ファイバの表面に対して、異なる色の複数の着色剤を連続的にコーティングする光ファイバの着色方法であって、前記貫通保持手段を有するハウジング内の中空へ供給する前記各着色剤のそれぞれの供給圧力を独立的に調整しておき、前記ハウジング内への前記各着色剤の供給を同時に開始した後、前記光ファイバが前記貫通保持手段を通過して一定の方向で走行するように操作することを特徴とする。
【発明の効果】
【００１１】
本発明の光ファイバ着色装置及び光ファイバの着色方法によれば、光ファイバの表面を異なる複数の色で的確に着色することができる。これにより、識別可能な光ファイバ心線数を増加させることができ、光ファイバを種類別や用途別など種々のグループ分けする場合でも、詳細にグループ分けすることが可能になる。
【発明を実施するための最良の形態】
【００１２】
本発明の光ファイバ着色装置及び光ファイバの着色方法の実施の形態について、図面を参照しながら説明する。
【００１３】
［第１の実施の形態］
＜光ファイバ着色装置の全体構成＞
図１は、本発明の実施の形態に係る光ファイバ着色装置の全体構成図である。
【００１４】
この着色装置は、光ファイバ心線１１０（例えば外径５００μｍ）を通過させて、その表面を異なる色の着色剤（本例では、紫外線硬化型の樹脂）で着色する着色剤被覆器１００と、着色剤被覆器１００内に前記異なる色の複数の着色剤を供給するための着色剤供給機構１０１と、前記複数色の着色剤で着色された着色済み光ファイバ１１０ａを通過させて該着色剤を硬化させる紫外線ランプ等から成る着色剤硬化器１０２とを有している。
【００１５】
光ファイバ心線１１０は、ファイバ送り出し機１１１から送り出され、プーリ等のガイド部材１１２を経て例えば下向き方向に着色剤被覆器１００の内部に通される。着色剤被覆器１００では、通過する光ファイバ心線１１０の表面に対して着色剤が連続的にコーティングされて着色済み光ファイバ１１０ａが製造される。
【００１６】
その後、着色済み光ファイバ１１０ａは、着色剤硬化器１０２を通過し、その過程で例えば紫外線の照射を受け、着色済み光ファイバ１１０ａの表面の着色剤が硬化する。着色剤が硬化した着色済み光ファイバ１１０ａは、プーリ等のガイド部材１１３を経て巻取機１１４によって巻き取られるようになっている。
【００１７】
本実施の形態では、赤色と青色の２色の着色剤を用いて光ファイバ心線１１０を着色するものとする。
【００１８】
＜着色剤被覆器１００の具体的な構成＞
図２は、図１中の着色剤被覆器１００の具体的な構成を示す断面構造図であり、図３は、着色剤被覆器１００を構成するダイスとニップルの透視斜視図である。また、図４（ａ），（ｂ）は、図２のＺ方向から見たダイスとニップルの構造図であり、同図（ａ）はその正面図、同図（ｂ）はＡ−Ａ’断面図である。
【００１９】
図２に示すように、着色剤被覆器１００は、ダイス孔１１ａを有するダイス１１と、ニップル孔１２ａを有するニップル１２と、ダイス１１を支持するホルダ１３と、ニップル１２を支持するホルダ１４とを備え、ダイス１１とニップル１２とで、光ファイバ心線１１０を貫通して保持する貫通保持手段を構成している。
【００２０】
ダイス１１は、図３に示すように、円柱形状を成すダイス本体部１１−１と、該ダイス本体部１１−１よりも外径が大きくその上部に形成された環状の段差部１１−２とが一体を成し、さらにダイス１１の中央内部を縦方向にすり鉢形に貫通したダイス孔１１ａが形成されている。
【００２１】
一方、ニップル１２は、図３に示すように、テーパ状の円柱形状を成すニップル本体部１２−１と、該ニップル本体部１２−１よりも外径が大きくその上部に形成された環状の段差部１２−２とが一体を成し、さらにニップル本体部１２−１の中央内部を長手方向に一定の径で貫通したニップル孔１２ａが形成されている。ここで、ダイス１１のダイス孔１１ａの最大径は、ニップル本体部１２−１の最大径よりも大きく、ダイス孔１１ａの出口端１１ｂの孔径は、ニップル孔１２ａよりも大きな径で構成されている。本実施の形態では、例えば、ニップル孔１２ａの孔径を５１０μｍφ程度とし、ダイス孔１１ａの出口端１１ｂの孔径を５３０μｍφ程度に設定する。
【００２２】
そして、ダイス１１とニップル１２とが所定の間隔を空けて同心的に配置されるように、ニップル本体部１２−１のテーパ部分がダイス孔１１ａの一定の深さまで挿入配置され、さらに、その状態のダイス１１とニップル１２が、ホルダ１３とホルダ１４によってそれぞれ支持されている。
【００２３】
ホルダ１３は円筒形状を成し、その底部には内周方向に段差部１３−１が形成されている。そして、ホルダ１３の中空内にダイス１１の段差部１１−２が遊嵌されている。また、ホルダ１４は円板形状を成し、その中央部にはニップル１２を貫設するための孔が穿設され、このホルダ１４がネジ１５によってホルダ１３に固定されている。これによって、図２及び図４（ａ），（ｂ）に示すようにニップル１２とダイス１１とホルダ１３，１４とが同心的に配置され、ホルダ１３の内周壁面とホルダ１４の内壁面と、ダイス１１の段差部１１−２の表面とニップル１２の外周面とに囲まれた略ドーナツ形の空隙２０と、ニップル１２の先端部外周面とダイス１１のダイス孔１１ａ表面とに囲まれた空隙２１と、ダイス孔１１ａの出口端１１ｂ付近における略円錐形の空隙２２とが、着色剤被覆器１００内の同一の中空として形成されている。
【００２４】
また、ホルダ１３には、ホルダ壁を貫通する形で前記空隙２０に連通する２つの着色剤導入口１３ａと１３ｂが、光ファイバ心線１１０が貫入されるニップル孔１２ａとダイス孔１１ａを貫く中心線と直交する直線上に対向配設されている。
【００２５】
そして、例えば外径５００μｍの光ファイバ心線１１０がニップル１２の上部からニップル孔１２ａとダイス孔１１ａに貫入されるようになっている。
【００２６】
＜着色剤供給機構１０１の具体的な構成＞
図５は、図１中の着色剤供給機構１０１の第１の構成例を示す断面構成図である。
【００２７】
この着色剤供給機構１０１は、赤色の着色剤５２ａを供給する圧力容器５０と、青色の着色剤６２ａを供給する圧力容器６０とを備えている。圧力容器５０内には、赤色の着色剤５２ａが充填された樹脂製ボトル５２が収納され、また圧力容器６０内には、青色の着色剤６２ａが充填された樹脂製ボトル６２が収納されている。各着色剤５２ａ，６２ａは同一の粘度に設定されている。
【００２８】
また、圧力容器５０，６０内には、窒素ガス等の不活性ガスを充填しているガスボンベ７０から、それぞれガス供給管７２，７４とレギュレータ７３，７５を経て不活性ガスが供給され、圧力容器５０，６０内が一定のガス圧に保持されるようになっている。なお、圧力容器５０，６０内のガス圧は、それぞれ圧力計５１，６１でチェック可能になっているが、圧力計５１，６０内の測定値によりレギュラー７３，７５を自動的に制御する構成も可能である。
【００２９】
このようにして、ボトル５２，６２内の着色剤５２ａ，６２ａの液面に前記不活性ガスによるガス圧を加えることにより、これら着色剤５２ａ，６２ａをそれぞれ着色剤供給管７６，７７及び電磁弁等の開閉弁７６ａ，７７ａを通して前記ホルダ１３の着色剤導入口１３ａ，１３ｂへ送り出すようになっている。このときの着色剤５２ａ，６２ａの供給圧力は、レギュレータ７３，７５によって圧力容器５０，６０内のガス圧を調整することによって制御されるようになっている。
【００３０】
図６は、図１中の着色剤供給機構１０１の第２の構成例を示す断面構成図である。
【００３１】
図５の第１の構成例では、圧力容器を着色剤の色別に複数個設けるものであったが、この第２の構成例では、１つの圧力容器で構成するようにしたものである。
【００３２】
圧力容器８０内には、赤色の着色剤５２ａが充填された樹脂製ボトル５２と、青色の着色剤６２ａが充填された樹脂製ボトル６２が収納されている。圧力容器８０内には、ガスボンベ７０から、ガス供給管７２とレギュレータ７３を経て不活性ガスが供給され、圧力容器８０内が一定のガス圧に保持される。
【００３３】
これによって、第１の構成例と同様に、ボトル５２，６２内の着色剤５２ａ，６２ａの液面が加圧され、これらの着色剤５２ａ，６２ａをそれぞれ着色剤供給管７６，７７とレギュレータ７８，７９を通して前記ホルダ１３の着色剤導入口１３ａ，１３ｂへ送り出すようになっている。このときの着色剤５２ａ，６２ａの供給圧力は、レギュレータ７８，７９によって制御される。
【００３４】
なお、圧力容器８０内のガス圧は、圧力計８１でチェック可能になっているが、モニタリングによって自動的にチェックする構成も可能であることは、第１の構成例と同様である。
【００３５】
＜光ファイバの着色方法＞
次に、上述した構成の光ファイバ着色装置を用いて実施される本実施の形態に係る光ファイバの着色方法について図７等を参照して説明する。図７は、光ファイバの着色時の着色剤供給状態を示す断面図である。ここでは、着色剤供給機構１０１として、図５に示した第１の構成例を用い、着色剤導入口１３ａ，１３ｂへ供給する赤色着色剤５２ａと青色着色剤６２ａの供給圧力をそれぞれＰＡ，ＰＢとする。
【００３６】
Ｉ．ＰＡ＝ＰＢの場合の着色動作
初めに、例えば外径２５０μｍの光ファイバ素線に樹脂を被覆して構成された外径５００μｍの光ファイバ心線１１０を用意し、この光ファイバ心線１１０を、図１に示すように、ファイバ送り出し機１１１から引き出して着色剤被覆器１００のニップル孔１２ａとダイス孔１１ａに通して巻取機１１４にセットしておく。なお、光ファイバ心線１１０の外径は、着色の視認性を考慮して、例えば５００μｍから９００μｍの範囲内であれば好適である。
【００３７】
また、レギュレータ７３，７５により、不活性ガスボンベ７０から等しい不活性ガス圧を各圧力容器５０，６０に対して加え、赤色着色剤５２ａと青色着色剤６２ａが等しい供給圧力ＰＡ＝ＰＢで着色剤導入口１３ａ，１３ｂへ供給可能な状態にしておく。
【００３８】
このような状態で、開閉バルブ７６ａ，７７ａを同時に開状態にして、赤色着色剤５２ａと青色着色剤６２ａを着色剤被覆器１００の着色剤導入口１３ａ，１３ｂへそれぞれ供給する。これによって、着色剤被覆器１００内の空隙２０に、同一圧力で同じ粘度の赤色着色剤５２ａと青色着色剤６２ａが供給され、この赤色着色剤５２ａと青色着色剤６２ａは、ニップル１２とダイス１１の間の空隙２１を通過して空隙２２内に露出した光ファイバ心線１１０に達する。
【００３９】
この状態で、光ファイバ心線１１０がニップル１２のニップル孔１２ａとダイス１１のダイス孔１１ａを通過して走行するように、図示しない操作部で操作する。その結果、図７に示すように、着色剤被覆器１００内を通過する光ファイバ心線１１０の表面に対して着色剤が連続的にコーティングされて着色済み光ファイバ１１０ａが製造される。
【００４０】
この時の着色剤５２ａ，６２ａの状態について図８（ａ），（ｂ）を用いて説明する。なお、図８（ａ）は図７のＡ−Ａ’断面図であり、同図（ｂ）は図７のＢ−Ｂ’断面図である。
【００４１】
着色剤被覆器１００内の空隙２０へ着色剤導入口１３ａ，１３ｂからそれぞれ同じ供給圧力（ＰＡ＝ＰＢ）と粘度で供給された赤色着色剤５２ａと青色着色剤６２ａは、空隙２０において、図８（ａ）に示すように、ニップル１２の円周方向に略同じ割合（円周角θ１＝θ２）を占める。さらに、このような状態を維持して、空隙２１を経て空隙２２に達し、これによって該空隙２２内に露出した光ファイバ心線１１０の円周方向表面に、赤色着色剤５２ａと青色着色剤６２ａが前記θ１＝θ２の割合でコーティングされる。
【００４２】
そして、ダイス孔出口端１１ｂから着色された光ファイバ心線１１０が着色済み光ファイバ１１０ａとして送出されたときは、空隙２２のテーパ形状に応じてコーティング層の厚さが縮小されている。すなわち、着色済み光ファイバ１１０ａは、図８（ｂ）に示すように、導光部であるガラス芯９１上に素線被覆層９２，９３及びオーバーコート層９４が順次形成されて成る光ファイバ心線１１０の円周方向表面に、円周角θ１＝θ２の割合で赤色着色層５２ａ’と青色着色層６２ａ’とが例えば厚さ約５μｍでコーティングされたものとなる。
【００４３】
このようにして、着色剤被覆器１００内を通過する光ファイバ心線１１０の表面に対して着色剤が連続的にコーティングされて着色済み光ファイバ１１０ａが製造される。
【００４４】
ＩＩ．ＰＡ＞ＰＢの場合の着色動作
赤色着色剤５２ａの供給圧力ＰＡが青色着色剤６２ａの供給圧力ＰＢよりも大きくなるように（ＰＡ＞ＰＢ）、赤色着色剤５２ａと青色着色剤６２ａをそれぞれ着色剤導入口１３ａ，１３ｂへ供給可能な状態にしておき、開閉バルブ７６ａ，７７ａを同時に開状態にして、赤色着色剤５２ａと青色着色剤６２ａを着色剤被覆器１００の着色剤導入口１３ａ，１３ｂへそれぞれ供給する。
【００４５】
この場合では、図７のＡ−Ａ’断面図である図９（ａ）に示すように、赤色着色剤５２ａと青色着色剤６２ａの割合は、空隙２０においてニップル１２の円周方向に赤色着色剤５２ａの方が青色着色剤６２ａよりも大きい割合を占める（円周角θ１＞θ２）。
【００４６】
そして、ダイス孔出口端１１ｂから、着色された光ファイバ心線１１０が着色済み光ファイバ１１０ａとして送出されたときは、空隙２２のテーパ形状に応じてコーティング層の厚さが縮小されている。すなわち、、着色済み光ファイバ１１０ａは、図７のＢ−Ｂ’断面図である図９（ｂ）に示すように、光ファイバ心線１１０の円周方向表面に、円周角θ１＞θ２の割合で赤色着色層５２ａ’と青色着色層６２ａ’とが例えば厚さ約５μｍでコーティングされたものとなる。
【００４７】
ＩＩＩ．ＰＡ＜ＰＢの場合の着色動作
赤色着色剤５２ａの供給圧力ＰＡが青色着色剤６２ａの供給圧力ＰＢよりも小さくなるように（ＰＡ＜ＰＢ）、赤色着色剤５２ａと青色着色剤６２ａをそれぞれ着色剤導入口１３ａ，１３ｂへ供給可能な状態にしておき、開閉バルブ７６ａ，７７ａを同時に開状態にして、赤色着色剤５２ａと青色着色剤６２ａを着色剤被覆器１００の着色剤導入口１３ａ，１３ｂへそれぞれ供給する。
【００４８】
この場合では、図７のＡ−Ａ’断面図である図１０（ａ）に示すように、赤色着色剤５２ａと青色着色剤６２ａの割合は、空隙２０においてニップル１２の円周方向に赤色着色剤５２ａの方が青色着色剤６２ａよりも小さい割合（円周角θ１＜θ２）を占める。
【００４９】
そして、ダイス孔出口端１１ｂから、着色された光ファイバ心線１１０が着色済み光ファイバ１１０ａとして送出されたときは、空隙２２のテーパ形状に応じてコーティング層の厚さが縮小されている。すなわち、着色済み光ファイバ１１０ａは、図７のＢ−Ｂ’断面図である図１０（ｂ）に示すように、光ファイバ心線１１０の円周方向表面に、円周角θ１＜θ２の割合で赤色着色層５２ａ’と青色着色層６２ａ’とが例えば厚さ約５μｍでコーティングされたものとなる。
【００５０】
赤色着色層５２ａ’及び青色着色層６２ａ’の円周方向に占める割合である円周角θ１，θ２と着色剤供給圧力ＰＡ，ＰＢとの関係を測定した結果を、図１１に示す。同図から明らかなように、着色剤供給圧力ＰＡ，ＰＢを調整することにより、光ファイバ心線１１０に着色される赤色と青色の円周方向に占める割合を制御することができる。
【００５１】
以上のように本実施の形態によれば、ニップル１２とダイス１１の形状に対応して形成された着色剤被覆器１００の中空部に、着色剤供給機構１０１から着色剤導入口１３ａ，１３ｂを介して、一定の粘度で２色の着色剤を同時に供給し、前記中空部に露出した光ファイバ心線１１０の表面に対してコーティングするようにしたので、光ファイバの表面を２色で的確に着色することができる。これにより、光ファイバを種類別や用途別など種々のグループ分けする場合でも、詳細にグループ分けすることが可能になる。
【００５２】
［第２の実施の形態］
図１２（ａ），（ｂ）は、本発明の第２の実施の形態に係る着色剤被覆器の要部構成を示す断面図であり、第１の実施の形態の図８（ａ），（ｂ）に対応するものである。
【００５３】
上記第１の実施の形態は、着色剤被覆器１００の空隙２０に連通する着色剤導入口として２つの着色剤導入口１３ａと１３ｂを配設し、光ファイバ心線１１０に対して赤色と青色の２色の着色を行う構成であったが、本実施の形態では、３つの着色剤導入口１３ｘ，１３ｙ，１３ｚを配設し、光ファイバ心線１１０に対して赤色と青色と黄色の３色の着色を行う構成である。この場合は、各着色剤導入口１３ｘ，１３ｙ，１３ｚは、ニップル孔１２ａとダイス孔１１ａを貫く中心線を中心として、円周方向に例えば１２０°の等間隔で配設されている。
【００５４】
本実施の形態では、着色剤供給機構１０１から赤色着色剤５２ａと青色着色剤６２ａと黄色着色剤９５ａを同じ粘度と供給圧力で同時に着色剤導入口１３ｘ，１３ｙ，１３ｚへそれぞれ供給する。これによって、図１２（ａ）に示すように、赤色着色剤５２ａと青色着色剤６２ａと黄色着色剤９５ａの割合は、空隙２０においてニップル１２の円周方向にそれぞれ等しい割合（円周角θ１＝θ２＝θ３）を占める。
【００５５】
そして、ダイス孔出口端１１ｂから、着色された光ファイバ心線１１０が着色済み光ファイバ１１０ａとして送出されたときは、図１２（ｂ）に示すように、光ファイバ心線１１０の円周方向表面に、例えば厚さ約５μｍの赤色着色層５２ａ’と青色着色層６２ａ’と黄色着色層９５ａ’が前記θ１＝θ２＝θ３の割合でコーティングされたものとなる。
【００５６】
本実施の形態でも、上記第１の実施の形態と同様に、各着色剤の供給圧力を調整することにより、光ファイバ心線１１０の円周方向表面に着色される各色の占める割合を制御することができる。
【００５７】
このように、光ファイバの表面を３色で的確に着色することもでき、光ファイバを種類別や用途別など種々のグループ分けする場合に、より詳細にグループ分けすることが可能になる。
【００５８】
なお、上記同様に、光ファイバ心線１１０に対して４色以上の着色を行うことも可能である。
【図面の簡単な説明】
【００５９】
【図１】本発明の実施の形態に係る光ファイバ着色装置の全体構成図である。
【図２】第１の実施の形態に係る着色剤被覆器の具体的な構成を示す断面構造図である。
【図３】図１中の着色剤被覆器を構成するダイスとニップルの透視斜視図である。
【図４】図２のＺ方向から見たダイスとニップルの構造図である。
【図５】図１中の着色剤供給機構の第１の構成例を示す断面構成図である。
【図６】図１中の着色剤供給機構の第２の構成例を示す断面構成図である。
【図７】光ファイバの着色時の着色剤供給状態を示す断面図である。
【図８】ＰＡ＝ＰＢの場合における図７のＡ−Ａ’及びＢ−Ｂ’断面図である。
【図９】ＰＡ＞ＰＢの場合における図７のＡ−Ａ’及びＢ−Ｂ’断面図である。
【図１０】ＰＡ＜ＰＢの場合における図７のＡ−Ａ’及びＢ−Ｂ’断面図である。
【図１１】着色剤供給圧力ＰＡ，ＰＢと、円周角θ１，θ２との関係を示す測定結果である。
【図１２】本発明の第２の実施の形態に係る着色剤被覆器の要部構成を示す断面図である。
【図１３】従来の光ファイバ着色装置の構成図である。
【符号の説明】
【００６０】
１１ａ  ダイス孔
１１  ダイス
１２ａ  ニップル孔
１２  ニップル
１３  ホルダ
１３ａ，１３ｂ  着色剤導入口
２０  空隙
２１  空隙
２２  空隙
５２ａ  赤色の着色剤
５０  圧力容器
６２ａ  青色の着色剤
６０  圧力容器
７３，７５  レギュレータ
７６ａ，７７ａ  開閉弁
１１０  光ファイバ心線
１００  着色剤被覆器
１０１  着色剤供給機構
１０２  着色剤硬化器
【図１】
2005300835.tif 000003
【図２】
2005300835.tif 000004
【図３】
2005300835.tif 000005
【図４】
2005300835.tif 000006
【図５】
2005300835.tif 000007
【図６】
2005300835.tif 000008
【図７】
2005300835.tif 000009
【図８】
2005300835.tif 000010
【図９】
2005300835.tif 000011
【図１０】
2005300835.tif 000012
【図１１】
2005300835.tif 000013
【図１２】
2005300835.tif 000014
【図１３】
2005300835.tif 000015